(57)【要約】【課題】柄のコーテイング等が剥がれたり、筆毛が変質したり、人体に悪影響を与えたり、環境汚染の問題となったり等せずに、大量の化粧筆を短時間で効率良く殺菌可能にする。【解決手段】水銀蒸気を封入した無電極の管を高周波発生コイルによる高周波で誘導励起して波長約２５４ｎｍの紫外線を効果的に発生する無電極紫外線ランプ装置Ｐを中央に備え、その周囲に筆先・毛先束・毛先用搬送コンベア２Ａ、太筆用搬送コンベア２Ｂ、細筆用搬送コンベア２Ｃそれぞれを配し、前記各搬送コンベア２Ａ，２Ｂ，２Ｃは当該筆先・毛先束・毛先、太筆、細筆それぞれを無電極紫外線ランプ装置Ｐ側に略向いた状態で当該装置Ｐに沿って搬送可能にする。筆先・毛先束・毛先、太筆先、細筆先それぞれに対して空気噴出口が向けられたエアーブローノズル４を備える。【選択図】　　　　　図１
2004081300.tif 000002
【特許請求の範囲】
【請求項１】
水銀蒸気が封入されている無電極の管を高周波発生コイルによる高周波で誘導励起して紫外線を発生する無電極紫外線ランプ装置の周囲に、殺菌すべき筆の搬送経路を備えたことを特徴とする筆の殺菌装置。
【請求項２】
水銀蒸気が封入されている無電極の管を高周波発生コイルによる高周波で誘導励起して紫外線を発生する無電極紫外線ランプ装置を中央に備え、その周囲に筆先・毛先束・毛先用搬送コンベア、太筆用搬送コンベア、細筆用搬送コンベアそれぞれを配し、前記各搬送コンベアは当該筆先・毛先束・毛先、太筆、細筆それぞれを無電極紫外線ランプ装置側に略向いた状態で当該装置に沿って搬送させることを特徴とする筆の殺菌装置。
【請求項３】
筆先・毛先束・毛先、太筆、細筆それぞれに対して空気噴出口が向けられたエアーブローノズルを備えている請求項１または２記載の筆の殺菌装置。
【請求項４】
前記太筆用搬送コンベアおよび細筆用搬送コンベアは、中央の無電極紫外線ランプ装置に対して左右側位置にそれぞれ配置されると共に、それぞれ水平方向に回転する駆動側スプロケット、従動側スプロケット相互間に掛巡されたエンドレスチェーンのリンク部材に対し、各筆の先端側が無電極紫外線ランプ装置に向けて若干仰角状態に保持されるよう互いに離間配置させた筒状のホルダー部を備えて成る請求項１乃至３のいずれか記載の筆の殺菌装置。
【請求項５】
前記筆先・毛先束・毛先用搬送コンベアは、中央の無電極紫外線ランプ装置に対して下側位置に配置されると共に、垂直方向に回転する駆動側スプロケット、従動側スプロケット相互間に掛巡された左右一対のエンドレスチェーンの各リンク部材に対し、筆先・毛先束・毛先が無電極紫外線ランプ装置に向けて起立状態に差し込み保持されるよう互いに離間配置させた差し込みピン状のホルダー部を備えて成る請求項１乃至３のいずれか記載の筆の殺菌装置。
【請求項６】
無電極紫外線ランプ装置は、波長約２５４ｎｍの紫外線を効果的に発生させるようにした請求項１乃至５のいずれか記載の筆の殺菌装置。
【発明の詳細な説明】
【０００１】
【発明の属する技術分野】
本発明は、例えば化粧筆等に用いられている動物用の筆毛に繁殖する例えば炭素菌等の細菌類を効率良く殺菌するための筆の殺菌装置に関する。
【０００２】
【従来の技術】
近年、食品業界や、抗菌仕様の製品が増えている化粧筆は、現状においては殺菌・抗菌対策の規制はないが、将来規制の対象になる可能性が高い。また、近年の筆業界は、安価な中国製品、高価な日本製品との二極化の傾向にあり、しかも日本製品では金額が中国製品に比べて約１０倍程度となっている。これは筆を国内で製作する場合、安全面に対する付加価値で差別化されてコスト的に安くできないというのが原因である。また、中国から輸入する動物性の筆作製用の毛は、動物特有の菌類が常時付着している。昔では、この菌類を殺菌するための技術がないために、炭素菌の仲間である非脱疽によって筆職人が死亡するという事例が多くあった。しかし、中国では殺菌に対してあまり気を配ることがないため、化粧筆の製作中に殺菌することで安全確保を充実させる必要がある。このため、従来の殺菌装置として、温度約１２０℃以上の熱を加える加熱殺菌、あるいは薬品による殺菌等が行なわれている。
【０００３】
【発明が解決しようとする課題】
しかしながらこのような従来における加熱殺菌では、化粧筆が高温度の熱に長時間にわたって常時晒されるため、柄のコーテイング等が剥がれたり、筆毛が変質したりする等の化粧筆自体がダメになる。また薬品殺菌では、薬剤が人体の肌に直接触れるものであるため人体に対する薬剤の残留による健康状態が問題となり、しかも薬剤廃液の処理においても環境汚染の問題となる。
【０００４】
そこで本発明は叙上のような従来存した諸事情に鑑み創出されたもので、従来の如く、柄のコーテイング等が剥がれたり、筆毛が変質したり、人体に悪影響を与えたり、環境汚染の問題となったり等せずに、大量の各種の化粧筆を短時間で効率良く殺菌することのできる筆の殺菌装置を提供することを目的とする。
【０００５】
【課題を解決するための手段】
上述した課題を達成するため、本発明にあっては、水銀蒸気が封入されている無電極の管を高周波発生コイルによる高周波で誘導励起して紫外線を発生する無電極紫外線ランプ装置Ｐの周囲に、殺菌すべき筆の搬送経路Ｑを備えたものである。
水銀蒸気が封入されている無電極の管を高周波発生コイルによる高周波で誘導励起して紫外線を発生する無電極紫外線ランプ装置Ｐを中央に備え、その周囲に筆先・毛先束・毛先用搬送コンベア２Ａ、太筆用搬送コンベア２Ｂ、細筆用搬送コンベア２Ｃそれぞれを配し、前記各搬送コンベア２Ａ，２Ｂ，２Ｃは当該筆先・毛先束・毛先、太筆、細筆それぞれを無電極紫外線ランプ装置Ｐ側に略向いた状態で当該装置に沿って搬送させるものとすることができる。
筆先・毛先束・毛先、太筆、細筆それぞれに対して空気噴出口が向けられたエアーブローノズル４を備えているものとすることができる。
前記太筆用搬送コンベア２Ｂおよび細筆用搬送コンベア２Ｃは、中央の無電極紫外線ランプ装置Ｐに対して左右側位置にそれぞれ配置されると共に、それぞれ水平方向に回転する駆動側スプロケット５、従動側スプロケット６相互間に掛巡されたエンドレスチェーン７のリンク部材８に対し、各筆の先端側が無電極紫外線ランプ装置Ｐに向けて若干仰角状態に保持されるよう互いに離間配置させた筒状のホルダー部３を備えて成るものとすることができる。
前記筆先・毛先束・毛先用搬送コンベア２Ａは、中央の無電極紫外線ランプ装置Ｐに対して下側位置に配置されると共に、垂直方向に回転する駆動側スプロケット５、従動側スプロケット６相互間に掛巡された左右一対のエンドレスチェーン７の各リンク部材８に対し、筆先・毛先束・毛先が無電極紫外線ランプ装置Ｐに向けて起立状態に差し込み保持されるよう互いに離間配置させた差し込みピン状のホルダー部３を備えて成るものとすることができる。
無電極紫外線ランプ装置Ｐは、波長約２５４ｎｍの紫外線を効果的に発生させるものとすることができる。
【０００６】
以上のように構成された本発明に係る筆の殺菌装置において、周囲に殺菌すべき筆の搬送経路Ｑを設けた無電極紫外線ランプ装置Ｐは、紫外線の照射により、搬送移動する筆を短時間でしかも常温で効率良く殺菌させる。しかも放電方式がランプ内部に電極のない無電極のため従来の有電極ランプのような電極劣化が少なく、寿命も従来の約３倍程度に大きなものとなる。
筆先・毛先束・毛先、太筆、細筆それぞれに対して空気噴出口が向けられたエアーブローノズル４は、筆毛を空気圧でばらし、筆毛の中奥まで紫外線を照射可能にさせる。
波長約２５４ｎｍの紫外線を効果的に発生させる無電極紫外線ランプ装置Ｐは、少ない本数のランプで短時間の殺菌を可能にさせる。しかもこのような紫外線の波長領域の出力は、従来の紫外線発生装置に比べて約１５〜２０倍以上にまで増幅可能にさせる。
駆動側スプロケット５、従動側スプロケット６相互間に掛巡されたエンドレスチェーン７のリンク部材８に対し互いに離間配置させたホルダー部３は、無電極紫外線ランプ装置Ｐによって紫外線照射しながら各種の筆を同時に大量に自動搬送可能にさせる。
【０００７】
【発明の実施の形態】
以下図面を参照して本発明の一実施の形態を説明すると、図において示される符号１は、化粧筆等に用いられている動物用の筆毛に付着し繁殖する例えば炭素菌等の細菌類を殺菌するための殺菌装置本体であり、この殺菌装置本体１は、出願人自身が先に出願した特開２００２−２５５０７号公報に開示されている水銀蒸気が封入されている無電極の管を高周波発生コイルによる高周波で誘導励起して紫外線を発生するように構成された無電極紫外線ランプ装置Ｐの周囲に、殺菌すべき筆の搬送経路Ｑを備えたものである。
【０００８】
すなわち、図１に示すように、水銀蒸気が封入されている無電極の管を高周波発生コイルによる高周波で誘導励起して波長約２５４ｎｍの紫外線を効果的に発生させる無電極紫外線ランプ装置Ｐを殺菌装置本体１内に備え、殺菌すべき筆の搬送経路Ｑとして、無電極紫外線ランプ装置Ｐの周囲に筆先・毛先束・毛先用搬送コンベア２Ａ、太筆用搬送コンベア２Ｂ、細筆用搬送コンベア２Ｃそれぞれを配してある。この各搬送コンベア２Ａ，２Ｂ，２Ｃは、筆の柄から取り外された筆先・毛先束・毛先、あるいは太筆・細筆のそれぞれ先端側を無電極紫外線ランプ装置Ｐ側に略向いた状態で当該装置に沿って搬送させるものとしてある。
【０００９】
具体的には、図２、図３に示すように、太筆用搬送コンベア２Ｂおよび細筆用搬送コンベア２Ｃは、中央の無電極紫外線ランプ装置Ｐに対して左右側位置にそれぞれ対向配置されており、殺菌装置本体１上側の操作盤１３により垂直回転軸の廻りで水平方向に回転駆動させる駆動側スプロケット５と、後方側の従動側スプロケット６との相互間に掛巡されたエンドレスチェーン７のリンク部材８に対し互いに離間配置させた筒状の複数のホルダー部３を備え、各筆の先端側が無電極紫外線ランプ装置Ｐに向けて若干仰角状態となるようにホルダー部３に筆が保持されながら無電極紫外線ランプ装置Ｐに沿って前側から後側へ搬送移動するようにしている。この各搬送コンベア２の前方側には太筆用・細筆用の筆ホッパー１４Ａ，１４Ｂがそれぞれ付設されており、各ホルダー部３に１本ずつ筆を供給するようにしている。このホルダー部３に筆が供給された際には、例えば水平に配置されている駆動側スプロケット５の上面側に設けられた環状のリム部５Ａに最初は突き上げられている状態となるが、ホルダー部３が駆動側スプロケット５位置から離れた位置に移動すると筆はホルダー部３にしっかりと奥まで挿入保持されるものとしてある。そしてホルダー部３は筆を紫外線照射しながら搬送コンベア２によって後方側へ移動した後に筆が解放されて殺菌装置本体１の左右両側の開口部側に斜向状に配置させた筆受台１５Ａ，１５Ｂ上に排出させて落下収容させるようにしてある。この筆受台１５Ａ，１５Ｂ上に筆を排出させるに際し、落下による衝撃を吸収し、筆に傷が付かないように収容させるよう筆受台１５Ａ，１５Ｂ自体の傾斜角度が緩やかに設定されており、しかも筆受台１５Ａ，１５Ｂ自体の傾斜面には任意の摩擦係数を有する例えばクッション布部材等を貼設する等の工夫がなされている。
【００１０】
また、筆先・毛先束・毛先用搬送コンベア２Ａは、中央の無電極紫外線ランプ装置Ｐに対して下側位置に配置されており、殺菌装置本体１上側の操作盤１３により水平回転軸の廻りで垂直方向に回転駆動する駆動側スプロケット５と、後方側の従動側スプロケット６との相互間に掛巡された左右一対のエンドレスチェーン７の各リンク部材８に対し互いに離間配置させた差し込みピン状の複数のホルダー部３を備え、筆先・毛先束・毛先が無電極紫外線ランプ装置Ｐに向けて起立状態に差し込み保持されるようにホルダー部３に筆が保持されながら無電極紫外線ランプ装置Ｐに沿って前側から後側へ搬送移動するようにしている。このとき駆動側スプロケット５側は、殺菌装置本体１のフードを備えた前側開口部から外方へ突出配置しており、また従動側スプロケット６側は殺菌装置本体１のフードを備えた後側開口部から外方へ突出配置している。この左右一対のホルダー部３の間における無電極紫外線ランプ装置Ｐの真下に位置する部分には、毛先を載せるための台座状の毛先用受皿１６を備えている。そしてホルダー部３は筆を紫外線照射しながら筆先・毛先束・毛先用搬送コンベア２Ａによって後側開口部の外方へ移動した後に筆先・毛先束・毛先がホルダー部３から抜脱解放されて殺菌装置本体１の後側開口部に配置させた回収コンテナ１７に排出させるようにしてある。
【００１１】
そして、太筆用搬送コンベア２Ｂおよび細筆用搬送コンベア２Ｃの略中央の上側には、当該搬送コンベア２Ｂ，２Ｃの移動方向に沿って太筆先端側および細筆先端側にそれぞれ空気噴出口が向けられた毛ばらし用のエアーブローノズル４を備え、一方、筆先・毛先束・毛先用搬送コンベア２Ａの上側には、当該搬送コンベア２Ａの移動方向に沿って筆先・毛先束・毛先側に空気噴出口が向けられた左右一対のフレキシブルな毛ばらし用のエアーブローノズル４を備えている。このように筆の搬送と同時に筆自体が回転移動することによって、さらにエアーブローノズル４のエアーによって、筆に満遍なく紫外線が当たるようにしている。また、殺菌装置本体１の後部開口側には本体１内部の塵埃や死滅した菌類等を捕獲するための集塵機１８を備えている。そして、殺菌装置本体１の下側四隅には、キャスター具９を付設して所望の場所に移動可能とし、さらにキャスター具９に隣接した四隅箇所には、殺菌装置本体１を所定の位置に起立固定させておくためのアジャスターパッド１０を備えている。また、筆先・毛先束・毛先用搬送コンベア２Ａの前側箇所には、自動起動スイッチ１１と非常停止ボタン１２を備えている。
【００１２】
次に以上のように構成された実施の形態についての使用、動作の一例を説明するに、先ず、太筆用・細筆用の筆ホッパー１４Ａ，１４Ｂにそれぞれ太筆・細筆を収容しておき、集塵機１８を稼動すると共に、自動起動スイッチ１１および操作盤１３の操作により太筆用搬送コンベア２Ｂおよび細筆用搬送コンベア２Ｃを駆動させると、筆ホッパー１４Ａ，１４Ｂから各ホルダー部３に１本ずつ筆が供給される。このホルダー部３に筆が供給された際には、例えば水平に配置されている駆動側スプロケット５の上面側に設けられた環状のリム部５Ａによって最初は突き上げられている状態となるが、ホルダー部３が駆動側スプロケット５位置から離れた位置に移動すると筆はホルダー部３にしっかりと奥まで挿入保持される。そしてエアーブローノズル４によって毛をばらしながら、且つ筆を紫外線照射しながら各ホルダー部３は搬送コンベア２Ｂ，２Ｃによって順次後方側へ移動する。後方側へ移動してきたホルダー部３からは筆が解放されて殺菌装置本体１の左右両側に配置した筆受台１５Ａ，１５Ｂ上に排出されて落下収容される。
【００１３】
一方、自動起動スイッチ１１および操作盤１３の操作により筆先・毛先束・毛先用搬送コンベア２Ａを駆動させ、殺菌装置本体１の前側に突出配置されている筆先・毛先束・毛先用搬送コンベア２Ａの差し込みピン状の複数のホルダー部３に、柄から取り外された筆先・毛先束・毛先を順次差し込む。尚、毛先自体は左右両ホルダー部３の間の毛先用受皿１６に載置される。このとき筆先・毛先束・毛先は、無電極紫外線ランプ装置Ｐに向けてホルダー部３に起立状態に差し込み保持された状態で無電極紫外線ランプ装置Ｐに沿って前側から後側へ搬送移動する。そしてホルダー部３は筆を紫外線照射しながら搬送コンベア２によって後側開口部の外方へ移動した後にホルダー部３から筆先・毛先束・毛先が抜脱解放されて殺菌装置本体１の後側開口部に配置させた回収コンテナ１７に排出し回収される。
【００１４】
【発明の効果】
本発明は以上のように構成されているために、従来の如く、柄のコーテイング等が剥がれたり、筆毛が変質したり、人体に悪影響を与えたり、環境汚染の問題となったり等せずに、大量の各種の化粧筆を短時間で効率良く殺菌することができる。
【００１５】
すなわちこれは本発明が、水銀蒸気が封入されている無電極の管を高周波発生コイルによる高周波で誘導励起して紫外線を発生する無電極紫外線ランプ装置Ｐの周囲に、殺菌すべき筆の搬送経路Ｑを備えたからであり、これにより、大量の各種の化粧筆を短時間で効率良く殺菌することができる。しかも放電方式がランプ内部に電極のない無電極のため従来の有電極ランプのような電極劣化が少なく、寿命も従来の約３倍程度に大きなものとなる。
【００１６】
また、水銀蒸気が封入されている無電極の管を高周波発生コイルによる高周波で誘導励起して紫外線を発生する無電極紫外線ランプ装置Ｐを中央に備え、その周囲に筆先・毛先束・毛先用搬送コンベア２Ａ、太筆用搬送コンベア２Ｂ、細筆用搬送コンベア２Ｃそれぞれを配し、前記各搬送コンベア２Ａ，２Ｂ，２Ｃは当該筆先・毛先束・毛先、太筆、細筆それぞれを無電極紫外線ランプ装置Ｐ側に略向いた状態で当該装置に沿って搬送させるので、筆先・毛先束・毛先、太筆、細筆等の搬送移動する筆を紫外線の照射により短時間でしかも常温で効率良く殺菌させることができる。
【００１７】
筆先・毛先束・毛先、太筆、細筆それぞれに対して空気噴出口が向けられたエアーブローノズル４を備えているので、筆毛を空気圧でばらし、筆毛の中奥まで紫外線を照射させることができる。
【００１８】
前記太筆用搬送コンベア２Ｂおよび細筆用搬送コンベア２Ｃは、中央の無電極紫外線ランプ装置Ｐに対して左右側位置にそれぞれ配置されると共に、それぞれ水平方向に回転する駆動側スプロケット５、従動側スプロケット６相互間に掛巡されたエンドレスチェーン７のリンク部材８に対し、各筆の先端側が無電極紫外線ランプ装置Ｐに向けて若干仰角状態に保持されるよう互いに離間配置させた筒状のホルダー部３を備えて成るので、無電極紫外線ランプ装置Ｐによって太筆、細筆の柄部分と筆毛全体を紫外線照射しながら筆を大量に自動搬送させることができる。
【００１９】
前記筆先・毛先束・毛先用搬送コンベア２Ａは、中央の無電極紫外線ランプ装置Ｐに対して下側位置に配置されると共に、垂直方向に回転する駆動側スプロケット５、従動側スプロケット６相互間に掛巡された左右一対のエンドレスチェーン７の各リンク部材８に対し、筆先・毛先束・毛先が無電極紫外線ランプ装置Ｐに向けて起立状態に差し込み保持されるよう互いに離間配置させた差し込みピン状のホルダー部３を備えて成るので、無電極紫外線ランプ装置Ｐによって筆先・毛先束・毛先の全体を紫外線照射しながら大量に自動搬送させることができる。
【００２０】
無電極紫外線ランプ装置Ｐは、波長約２５４ｎｍの紫外線を効果的に発生させるので、少ない本数のランプでも短時間の殺菌が可能となる。しかもこのような紫外線の波長領域の出力は、従来の紫外線発生装置に比べて約１５〜２０倍以上にまで増幅させることができる。
【図面の簡単な説明】
【図１】本発明の一実施の形態における概略正面図である。
【図２】同じく概略平面図である。
【図３】同じく概略側面図である。
【符号の説明】
Ｐ…無電極紫外線ランプ装置
Ｑ…搬送経路
１…殺菌装置本体
２Ａ…筆先・毛先束・毛先用搬送コンベア
２Ｂ…太筆用搬送コンベア
２Ｃ…細筆用搬送コンベア
３…ホルダー部
４…エアーブローノズル
５…駆動側スプロケット
５Ａ…環状のリム部
６…従動側スプロケット
７…エンドレスチェーン
８…リンク部材
９…キャスター具
１０…アジャスターパッド
１１…自動起動スイッチ
１２…非常停止ボタン
１３…操作盤
１４Ａ，１４Ｂ…筆ホッパー
１５Ａ，１５Ｂ…筆受台
１６…毛先用受皿
１７…回収コンテナ
１８…集塵機
【図１】
2004081300.tif 000003
【図２】
2004081300.tif 000004
【図３】
2004081300.tif 000005